(57)【特許請求の範囲】
【請求項１】
写真フイルムを使用するカメラに着脱自在に装着される撮像装置であって、装着時に前記カメラのフイルム露光部に撮像素子が配置され、前記カメラのシャッターが切られると、前記撮像素子によって撮像した画像をメモリに記録する撮像装置において、前記カメラで発生する動作音又は振動を検出する検出手段と、前記検出手段によって検出された動作音又は振動に基づいて、前記撮像装置の動作を制御する制御手段と、を備えたことを特徴とする撮像装置。
【請求項２】
前記制御手段は、前記検出手段によって検出された動作音又は振動に基づいて、前記撮像装置の電源をオンにし、又は、前記撮像素子によって撮像した画像を前記メモリに記録する処理を実行させることを特徴とする請求項１の撮像装置。
【請求項３】
前記検出手段で検出する動作音又は振動は、前記カメラのレンズ駆動モータを駆動しているとき、ストロボをチャージしているとき、シャッターがレリーズ動作をしているとき、及びフイルムの巻き上げ動作を行っているときに発生する音又は振動のうち少なくとも１つであることを特徴とする請求項１の撮像装置。
【請求項４】
前記撮像装置の動作を制御する前記動作音又は振動の候補が予め登録されていることを特徴とする請求項１、２、又は、３の撮像装置。
【請求項５】
前記撮像装置の動作を制御する前記動作音又は振動を、前記予め登録されている複数の候補の中から選択可能としたことを特徴とする請求項４の撮像装置。
【請求項６】
前記撮像装置の動作を制御する前記動作音又は振動を、前記複数の候補の中から選択して設定するためのスイッチを備えたことを特徴とする請求項５の撮像装置。
【請求項７】
前記撮像装置の動作を制御する前記動作音又は振動を選択して設定するための学習機能を備えたことを特徴とする請求項１、２、又は、３の撮像装置。
【請求項８】
写真フイルムを使用するカメラに着脱自在に装着される撮像装置であって、装着時に前記カメラのフイルム露光部に撮像素子が配置され、前記カメラのシャッターが切られると、前記撮像素子によって撮像した画像をメモリに記録する撮像装置において、前記カメラのシャッターが切られた際に写真フイルムに所定の情報を焼き込むために行われる発光を検出する光検出手段と、前記光検出手段によって前記発光を検出すると、前記撮像素子によって撮像した画像を前記メモリに記録する処理を実行させる制御手段と、を備えたことを特徴とする撮像装置。
【請求項９】
前記カメラのフイルム給送と関連して電力を発生させる発電手段を備えたことを特徴とする請求項１乃至８のうちいずれか１に記載の撮像装置。
【請求項１０】
前記発電手段によって発生した電力により前記撮像装置の電源をオンにすることを特徴とする請求項９の撮像装置。
【発明の詳細な説明】
【０００１】
【発明の属する技術分野】
本発明は撮像装置に係り、特に写真フイルムを使用する写真カメラに着脱自在に装着され、写真カメラを電子カメラとして使用できるようにした撮像装置に関する。
【０００２】
【従来の技術】
特開平８−２５１４６１号公報には、写真カメラに着脱自在に装着して写真カメラを電子カメラとして使用できるようにした電子撮像モジュールと称される撮像装置が提案されている。この撮像装置は、カメラに装着した際にカメラのフイルム露光部に配置されるＣＣＤ等の撮像素子と、撮像素子で取得した信号を処理する信号処理回路等から構成されている。
【０００３】
また、特開平９−６８７５２号公報及び特開平９−９６８６４号公報には、上述と同様の撮像装置を裏蓋のないコンパクトカメラにも装着できるようにし、銀塩フイルムを使用する安価なコンパクトカメラを電子カメラとして使用できるようにした発明が記載されている。
【０００４】
【発明が解決しようとする課題】
しかしながら、上記文献に記載の撮像装置は、いずれもカメラからシャッター信号を取得できるようにカメラと専用のインターフェースで接続される形態を取っている。このため、結局は専用のカメラボディが必要になる。即ち、現在市販されている多くの写真カメラでは、このような撮像装置を使用することができないという問題があった。
【０００５】
一方、撮像装置とカメラとの間で特別なインターフェースを持たない形態とした場合、即ち、上述の撮像装置を現在市販されている写真カメラで使用できるようにした場合には、撮像装置はカメラの状態を何も把握することができない。このため、撮像装置は、カメラのシャッターがレリーズされたか否かを判断することができず、撮像素子によって撮像した画像をメモリに取り込むタイミングを適切に制御することができないという問題が生じる。また、撮像装置の電源をオンするタイミングも図れないため、撮影を開始するときには一度撮像装置をカメラから取り出す等して撮像装置の電源をオンにし、且つカメラの電源をオンにしなければならないという煩雑な手間を要する。
【０００６】
また、撮像装置の電源をオンにして一旦カメラに装着すると、その後は撮像装置を取り出して電源をオフにしない限り、電源がオンの状態となっているため、撮像装置に搭載された電池がすぐに消耗してしまうという問題もあった。
本発明はこのような事情に鑑みてなされたもので、特別なインターフェースを使用することなく写真カメラの動作状態を適切に把握して好適な制御を行えるようにした撮像装置を提供することを目的とする。
【０００７】
【課題を解決するための手段】
前記目的を達成するために請求項１に記載の発明は、写真フイルムを使用するカメラに着脱自在に装着される撮像装置であって、装着時に前記カメラのフイルム露光部に撮像素子が配置され、前記カメラのシャッターが切られると、前記撮像素子によって撮像した画像をメモリに記録する撮像装置において、前記カメラで発生する動作音又は振動を検出する検出手段と、前記検出手段によって検出された動作音又は振動に基づいて、前記撮像装置の動作を制御する制御手段と、を備えたことを特徴としている。
【０００８】
本発明によれば、写真カメラで発生する動作音又は振動を検出することで写真カメラの動作状態を把握することができるようになり、これに基づいて撮像装置の動作を適切に制御することができるようになる。また、このように写真カメラで発生する動作音又は振動によって撮像装置の動作を制御することで写真カメラとの専用インターフェースが不要であるため、従来の銀塩フイルム専用の写真カメラを用いてデジタル画像を撮像することができるようになる。
【０００９】
また、請求項８に記載の発明は、前記撮像装置において、前記カメラのシャッターが切られた際に写真フイルムに所定の情報を焼き込むために行われる発光を検出する光検出手段と、前記光検出手段によって前記発光を検出すると、前記撮像素子によって撮像した画像を前記メモリに記録する処理を実行させる制御手段と、を備えたことを特徴としている。
【００１０】
本発明によれば、写真フイルムに所定の情報を焼き込むために行われる発光を検出することで、カメラのシャッターが切られたことを適切に把握することができ、画像の取り込みを好適なタイミングで行うことができるようになる。また、請求項９に記載の発明は、前記撮像装置において、前記カメラのフイルム給送と関連して電力を発生させる発電手段を備えたことを特徴としている。
【００１１】
本発明によれば、カメラのフイルム給送動作によって撮像装置の電力が取得されるようになり、撮像装置内に搭載された電池の電力消費を節約することができるようになる。また、これにより、撮像装置内の電池の交換間隔又は充電間隔を長くすることができ、電池の交換回数を少なくすることで撮像装置をカメラから取り外す回数を少なくすることができ、撮像素子にゴミが付着したり、撮像素子の保護ガラス等の表面に傷が付くという不具合が削減される。
【００１２】
【発明の実施の形態】
以下添付図面に従って本発明に係る撮像装置の好ましい実施の形態について詳説する。
図１及び図２は、それぞれ本発明に係る撮像装置の外観を示した前面図及び背面図であり、図３は、３５ｍｍフイルム（銀塩フイルム）を使用する写真カメラに本撮像装置を装着した様子を示した図である。これらの図に示すように、本発明に係る撮像装置１０は、撮像装置本体１２とこの撮像装置本体１２に設置された撮像部１４とから構成される。撮像装置本体１２は、市販されている３５ｍｍフイルムのフイルムカートリッジと略同形状（円筒状）に形成され、撮像装置本体１２の中心には、市販のフイルムカートリッジのスプールと同様に写真カメラのフイルム巻き取り軸に結合する回動自在の軸１６が設けられている。従って、本撮像装置１０は、図３に示すように３５ｍｍフイルムを使用する所望機種の写真カメラ３０（以下、カメラ３０という。）のカートリッジ装填部３２に３５ｍｍフイルムのフイルムカートリッジに代えて装着することができるようになっている。尚、図３に示す符号４０の部材はカメラ３０のフイルム巻き取り軸である。
【００１３】
また、撮像装置１０の撮像部１４は、平板状の撮像デバイス支持部１８を備え、この撮像デバイス支持部１８は、カメラ３０内においてフイルムカートリッジからフイルムが引き出される方向と同一方向となるように撮像装置本体１２に設置される。そして、この撮像デバイス支持部１８の前面にはＣＣＤである撮像デバイス２０が設置される。従って、撮像部１４は、図３に示すように通常写真フイルムが搬送されるカメラ３０の裏蓋３４の内面に沿ってに配置され、撮像デバイス２０はカメラ３０でフイルム露光が行われる位置（フイルム露光部３６）に配置される。これにより、写真カメラ３０のシャッターがレリーズされるとカメラ３０のレンズ部３８を介して撮像デバイス２０の受光面に被写体像が結像され、撮像デバイス２０により画像光が電気信号（画像信号）に変換される。撮像デバイス２０で取得された画像信号は、所定の信号処理が施された後、撮像装置１０内の内蔵メモリに画像データとして記録される。
【００１４】
このように、従来から使用されている３５ｍｍフイルムの写真カメラにフイルムの代わりに本撮像装置１０を装着することで、写真カメラをデジタルカメラとして使用することができるようになっている。尚、ここでは、３５ｍｍフイルムの写真カメラをデジタルカメラとして使用する場合の撮像装置について説明したが、本発明は、他のサイズの写真フイルム（インスタントフイルム等のロールフイルムでないものも含む。）を使用する写真カメラをデジタルカメラとして使用する場合の撮像装置であってもよく、その場合には撮像装置の形状をその写真カメラに装着することができる形状とし、且つ、撮像デバイスがフイルム露光部に配置されるように構成すればよい。
【００１５】
次に、撮像装置１０の回路構成を図４に示し、撮像装置１０の撮像デバイス２０によって取得した画像を撮像装置１０に搭載された内蔵メモリに記録する回路の構成及び撮像動作について説明する。上記カメラ３０のシャッターがレリーズされると、上述のようにカメラ３０のレンズ部３８を介して撮像デバイス２０の受光面に被写体像が結像される。撮像デバイス２０は、受光面に結像された画像光をその光量に応じた量の信号電荷に変換する。そして、ＣＰＵ６２から信号電荷の掃き出し指示が加えられると、蓄積した信号電荷をその信号電荷に応じた電圧信号（画像信号）として順次アナログ処理回路５０に転送する。アナログ処理回路５０は、転送されてきた画像信号にホワイトバランス調整やガンマ補正等の所要の信号処理を行い、このアナログ処理した画像信号を、Ａ／Ｄコンバータ５２を介してデジタル信号処理部５４に転送する。デジタル信号処理部５４は、Ａ／Ｄコンバータ５２でデジタル信号に変換された画像信号をＹＣ信号（輝度信号Ｙとクロマ信号Ｃ）に変換し、そのＹＣ信号をメモリ５６に保存していく。圧縮・伸長回路５８はメモリ５６上のＹＣ信号を圧縮し、その圧縮した画像データを内蔵メモリ６０に記録する。これにより、撮像デバイス２０で撮像された画像が内蔵メモリ６０に記録される。
【００１６】
内蔵メモリ６０に記録された画像データは、撮像装置１０をカメラ３０から取り外した後、撮像装置１０の所定箇所に設けられた端子から外部装置（パソコン等）に読み出すことができるようになっている。尚、上記内蔵メモリ６０の代わりに、メモリカードを撮像装置１０に着脱できるようにし、メモリカードに画像データを記録するようにしてもよい。
【００１７】
ところで、上述のように撮像装置１０をカメラ３０に装着して撮影を行う場合に、本撮像装置１０は、写真フイルム専用の写真カメラでの使用を可能にするためにカメラ３０と特別なインターフェースで接続することを不要にしている。このため、カメラ３０の動作状態を直接電気信号でカメラ３０から取得することができず、撮像装置１０の電源をオンにする制御や、撮像デバイス２０から内蔵メモリ６０に画像を取り込む制御等を自動で行おうとする場合には、これらの制御を行うタイミングが問題となるが、本撮像装置１０ではカメラ３０で発生する音を検出することによってこのような問題を解消している。
【００１８】
即ち、一般にカメラの動作時には様々な音が発生する。例えば、コンパクトタイプのカメラは電源を入れた時に、レンズバリアを開き、沈胴式のレンズを繰り出し、ストロボをチャージする。その際にこれらの動作音が発生する。また、撮影時には、フォーカス調整のためのレンズを繰り出し、シャッターを切り、フイルムを巻き上げる。この際にもこれらの動作音が発生する。手動フォーカスのカメラではフォーカス調整時には音をほとんど発生させないが、手動巻き上げのカメラでは手で巻き上げた場合でも音は発生する。また、電動ズームのカメラもズーム動作時に音が発生するのは同様である。
【００１９】
一眼レフタイプのカメラでも同様で、電源を入れた時はストロボ内蔵のカメラではストロボをチャージする時に音が発生する。また、オートフォーカスのカメラではフォーカス移動時に音が発生する。即ち、カメラから発生する音を検出すればある程度カメラの動作状態を知ることができる。
そこで、図３に示すようにカメラで発生する音を検出するためのマイク２２が撮像装置本体１２の周面の一部に設置され、このマイク２２で検出された音（音信号）が、図４に示すようにＣＰＵ６２に入力されるようになっている。ＣＰＵ６２は、マイク２２から入力される音信号に基づいて現在のカメラ３０の動作状態を把握し、撮像装置１０の電源をオンにするタイミング、及び、内蔵メモリ６０に画像を取り込むタイミングの制御を行うようにしている。
【００２０】
次に、これらのタイミングの制御について説明する。ＣＰＵ６２は、カメラ３０の電源がオンされたときに発生する音、例えば、上述のようにレンズバリアを開く音、レンズ駆動モータの音、ストロボをチャージする音等をマイクからの音信号によって検知すると、撮像装置の電源をオンにする。即ち、各回路に図示しない電池から電力を供給させ、撮像装置１０を撮像動作可能な状態にする。これにより、カメラ３０の電源がオンされると、撮像装置１０の電源が自動でオンされるようになり、ユーザが直接撮像装置１０の電源をオンにする操作が不要となる。尚、カメラ３０の電源がオンされると撮像装置１０の電源をオンにするのではなく、カメラ３０のシャッターがレリーズされる直前に発生する音、例えば、カメラ３０のシャッターのレリーズ動作が開始された瞬間に発生する音やシャッターレリーズスイッチが半押しされた時に発生する音、又は、フイルムを巻き上げる音等を検出した場合に、撮像装置１０の電源をオンにし、撮像装置１０を撮像可能状態にしてもよい。また、予めユーザとの取り決めにより、ユーザが撮像装置１０の電源をオンにしたいときには、ユーザにカメラ３０の所要の操作（例えば、レンズを駆動させる等）を行わせるようにし、この所要の操作によって発生する音を検出した場合に撮像装置１０の電源をオンにし、撮像装置１０を撮像可能状態にしてもよい。また、上述のように１つの動作音ではなく複数種類の動作音の組み合わせを検出した場合に電源をオンにしてもよい。
【００２１】
続いてＣＰＵ６２は、カメラ３０のシャッターがレリーズされたときに発生する音、例えば、シャター音を検出すると、シャッター音が終了した時に上述のように撮像デバイス２０に蓄積した信号電荷の掃き出し指示を与え、撮像デバイス２０から画像信号を読み出し、その画像信号に所定の信号処理を施して内蔵メモリ６０に保存させる。これにより、カメラのシャッターのレリーズ動作に合わせて適切なタイミングで画像の取り込みが行われるようになる。尚、シャッターがレリーズされた時に発生する音の検出としては、シャッター音に限らず、シャッターがレリーズされたときにフイルムの巻き上げが行われる場合にはフイルムの巻き上げ音でもよいし、ストロボ撮影を行った場合にはシャッターがレリーズされた後にストロボが充電されるので、ストロボのチャージ音でもよい。また、レンズ駆動モータの音でも可能である。更に、撮像装置１０の電源をオンにする場合と同様に、予めユーザとの取り決めにより、シャッターをレリーズした後にユーザにカメラ３０の所要の操作を行わせるようにし、この所要の操作（レンズを駆動させる等）によって発生する音を検出した場合に画像の取り込みを実行するようにしてもよい。
【００２２】
このように、カメラ３０で発生する音を検出することによって、撮像装置１０は、カメラ３０と特別なインターフェースで接続することなく、カメラ３０の動作状態を知ることができ、カメラ３０の動作状態に応じて撮像装置１０を自動で制御することができる。また、上述のように内蔵メモリ６０に画像の取り込みを行った後に撮像装置１０の電源を自動でオフすることも可能であり、このようにすると、撮像装置１０の消費電力を削減することができる。
【００２３】
以上のようにＣＰＵ６２は、カメラ３０で発生する所定の音をマイク２２によって検出するが、カメラ３０で発生する音は多種多様であり、また、カメラ３０の種類によっても異なるため、実際にどのような音を検出したときに撮像装置の電源をオンにするか、或いは、どのような音を検出したときに画像の取り込みを行うかを予め決めておく必要がある。この方法として、例えば本撮像装置１０を使用できる写真カメラの種類を限定し、その種類の写真カメラの電源がオンされたとき、又は、シャッターがレリーズされたときに必ず発生する音に基づいて予めＣＰＵ６２で検出する音の種類を決めておくようにしてもよいし、本撮像装置１０を多くの種類の写真カメラで共通に使用できるように、ＣＰＵ６２で検出する音の種類の候補を予めＣＰＵ６２内のメモリに登録しておき、撮像装置１０を装着するカメラの種類に応じてユーザがその候補の中から好適な音の種類を選択するようにしてもよい。
【００２４】
図１乃至図４に示した撮像装置１０は、撮像装置１０を装着するカメラの種類に応じてユーザがＣＰＵ６２で検出する音の種類を設定できるようにしたものであり、図２に示すように撮像装置本体１２の背面側にその設定を行うための設定スイッチ２４（セレクトスイッチ２４Ａ及びセットスイッチ２４Ｂ）と表示装置２６（例えばＬＣＤ）が設けられている。これらの設定スイッチ２４と表示装置２６は図４に示すようにＣＰＵ６２に接続されており、ＣＰＵ６２はセレクトスイッチ２４Ａが押されたことを検出すると、ＣＰＵ６２内のメモリに予め登録されている音の種類の候補の１つを表示装置２６に表示させ、セレクトスイッチ２４Ａが押される毎に他の候補の音の種類を表示装置２６に表示させる。そして、セットスイッチ２４Ｂが押されたこと検出すると、そのとき表示装置２６に表示している音の種類をＣＰＵ６２で検出する音の種類として設定する。この手順により、初めは、撮像装置１０の電源をオンにするタイミングを決める音を設定し、セットスイッチ２４Ｂによってこの音を設定すると、続いて、画像を取り込むタイミングを決定する音を設定する。尚、表示装置２６は上記設定の際の表示の他に、撮像装置１０の現在の動作状態等の他の情報の表示にも使用することができるため、カメラ３０の裏蓋３４に設けられるフイルム確認窓からその表示内容が見えるような位置に設置するのが望ましい。また、設定スイッチ２４は図５に示すように撮像装置本体１２の底面等に設けるようにしてもよい。
【００２５】
また、ＣＰＵ６２で検出する音の種類を設定する方法として、上述の設定スイッチ２４による方法以外に、撮像装置１０に通信機能を持たせ、ユーザがパーソナルコンピュータや通信端末機を利用して設定を行えるようにしてもよい。この様子を図６に示す。同図に示すように撮像装置１０を例えばノート型のパーソナルコンピュータ７０にＲＳ−２３２Ｃケーブル７２で接続できるようにする。そして、パーソナルコンピュータ７０で音の種類を設定し、その設定した情報を撮像装置１０に送信すると、ＣＰＵ６２で検出する音の種類が設定されるようにする。尚、通信方式はＲＳ−２３２Ｃに限らずＲＳ−４２２等の他の方式でもよく、また、図６では有線通信を行うようになっているが、光や電磁波通信（IrDAを含む）を利用してもよい。
【００２６】
また、撮像装置１０に学習機能を持たせると、上述の設定を容易に行うことができる。学習方法としては、学習スイッチをオンし、その後本体カメラの電源を入れて撮影可能状態にし、撮影を行う動作を一回あるいは数回行う。ユーザは学習スイッチを入れた後、電源を入れてカメラを撮影状態にする。その後１枚撮影を行い、電源を切り、学習スイッチをもう一度押す。この時、本当に学習されたかどうかの確認のため、一回ではなく何回かこの動作を繰り返してもよい。また、学習されたか否かの確認用に上記表示装置２６を使うと確認が容易にとなる。また、この確認に表示装置２６ではなくスピーカやブザー等の他の手段を用いてもよい。
【００２７】
以上説明した実施の形態では、カメラで発生する音に基づいて撮像装置１０の電源をオンにするタイミングと画像を取り込むタイミングとを制御するするようにしたが、これに限らず、撮像装置１０の他の所要の動作についても同様にカメラで発生する音に基づいて制御するようにしてもよい。
次に、本発明に係る撮像装置の他の実施の形態について説明する。上記実施の形態ではカメラで発生する音によってカメラの動作状態を把握し、これに基づき撮像装置１０の動作を制御するようにしたが、音に限らず、カメラで発生する振動によってカメラの動作状態を把握して撮像装置１０の動作を制御することもできる。即ち、音と同様にカメラではレンズ駆動モータが駆動しているとき、フイルムの巻き上げが行われているとき、又は、シャッターが動作しているとき等に振動が発生する。そこで、音の代わりにカメラで発生する振動を検出することで上述と同様に撮像装置１０の動作を制御することができる。図７は、本撮像装置をカメラに装着した様子を示した図である。同図に示すように撮像装置本体１２の周面の一部にカメラ３０で発生する振動を検出する振動センサ８０が設けられる。図３に示した撮像装置１０と比較して、マイク２２の代わりにこの振動センサ８０が設けられたこと以外は図３の撮像装置１０と同様に構成されるため、振動センサ８０以外の部材には図３と同一符号を付している。また、この場合の回路構成は図４においてマイク２２を振動センサ８０に置き換えた構成となる。この撮像装置１０の動作について説明すると、撮像装置本体１２内のＣＰＵ６２は振動センサ８０によって検出された振動を取得し、レンズ駆動モータが駆動しているときの振動、フイルムの巻き上げが行われているときの振動、又は、シャッターが動作しているときの振動等の所要の振動を検出する。そして、その所要の振動を検出したときにＣＰＵ６２は撮像装置１０の電源をオンにし、又は、画像の取り込みを実行する。尚、カメラで発生する音を検出する場合と同様に、ＣＰＵ６２がどの振動を検出するかは、予めカメラ３０の種類によって設定しておいてもよいし、ユーザが設定するようにしてもよい。また、学習機能によって設定するようにしてもよい。
【００２８】
このように、カメラで発生する振動を検出することによってもカメラで発生する振動を検出する場合と同様に撮像装置１０の動作を適切に制御することができる。
次に、画像を取り込むタイミングを音や振動ではなく別の検出手段によって行う場合について説明する。カメラには写真フイルムに日付を焼き込む機能を搭載しているものが多く使用されており、撮像装置１０を装着するカメラにこのような日付焼き込み機能があれば、その焼き込み状態を検出することによって画像を取り込むタイミングを制御することが可能である。即ち、日付焼き込み機能を持ったカメラは、シャッターがレリーズされると、ＬＥＤ等でフイルムの背面から日付等を焼き込むようにしている。従って、この焼き込みの発光を検出すれば本体カメラのシャッターがレリーズされたことを検出することができ、適切なタイミングで画像を取り込むことができる。図８は、このような手段で画像を取り込むタイミングを制御する撮像装置を示した図である。尚、図１に示した部材と同一部材には図１と同一符号を付し、その説明を省略する。同図に示すように撮像装置１０の撮像部１４の背面に光検出センサ８２が設けられる。この光検出センサ８２は、フイルムの日付等の焼き込みが行われる位置に配置されるようになっており、シャッターがレリーズされて日付焼き込みの発光が行われると、その発光を検出する。撮像装置１０のＣＰＵ６２は、この光検出センサ８２から検出信号を取得し、日付等の焼き込み等の発光が終了したことを検出すると、図４で示したのと同様に、撮像デバイス２０から画像信号を読み出し、画像信号に所定の信号処理を施した後、内蔵メモリ６０に記録させる。尚、カメラの種類により発光のタイミングが微妙に異なるので発光の終了と画像信号の読み出し開始には時間を少しおくようにしてもよい。
【００２９】
また、上記光検出センサ８２を図９に示すように複数個の光検出センサ８４、８４、８４、…をマトリクス状に配列した構成にすることによって本体カメラが焼き込もうとしている内容を検出するようにしてもよい。これにより、日付等を記録した電子画像ファイルの内部に書き込むことができ、日付等の設定を操作しなれたカメラで行うことができるという効果がある。
【００３０】
次に、上記撮像装置１０の電源回路の構成について説明する。図１０は、その構成を示した回路図である。尚、図４に示した回路と同一又は類似作用の回路には図４と同一符号を付し、その説明は省略する。同図に示すように撮像装置１０には着脱自在の２次電池（充電可能な電池）９４が搭載される。この２次電池９４の電力は、電源制御回路９６を介して撮像装置１０内の各回路に供給されるようになっている。尚、電源制御回路９６はＣＰＵ６２から電源をオンにする指示があった場合にのみ各回路に電力の供給を行う。ＣＰＵ６２が電源をオンにするタイミングについては上記実施の形態で示した方法等によって行われる。
【００３１】
一方、図１に示した撮像装置本体１２の内部には撮像装置本体１２の軸１６の回転によって電力を発生させる発電機９０が設置される。軸１６は上述のようにカメラのフイルム巻き取り軸に結合されるようになっているため、カメラがフイルムの給送動作を行うと、この軸１６が回転し、発電機９０から電力（電流）が発生するようになっている。発電機９０から発生した電流は、整流回路９２によって整流され、電源制御回路９６に送られる。電源制御回路９６は、各回路を動作させるのに十分な電力を発電機９０から得ている場合には２次電池９４から電力を取り出すことなく、整流回路９２から得た電力のみを各回路に供給する。一方、発電機９０から得られる電力が不足している場合にはその不足分の電力を２次電池９４から取り出して各回路に供給する。また、電源がオフの場合等に発電機９０から得られる電力が余る場合には、その電力を２次電池９４に与え、２次電池９４を充電する。
【００３２】
このように、撮像装置１０に発電機を搭載することにより、撮像装置１０の電池交換回数又は充電回数を減らすことができる。電池交換の回数を減らすことができると、撮像装置１０をカメラから取り外す回数を少なくすることができ、撮像デバイス２０にゴミが付着したり、撮像デバイス２０の保護ガラス等の表面に傷が付くという不具合が削減される。尚、画像の取り込みが行われた後に、ＣＰＵ６２から電源制御回路９６に電源をオフにする指示を与え、各回路への電力の供給を停止させるようにすれば、自動で撮像装置１０の電源をオフすることができると共に、撮像装置１０に搭載された電池の消耗を減らすことができる。
【００３３】
また、上記発電機９０の電力の発生を検出することによってカメラのフイルム巻き上げ動作を検出することができるため、これに基づいて撮像装置１０の電源をオンするタイミングを制御することもできる。例えば、図１０に示すようにＣＰＵ６２は、整流回路９２の所定端子の電位を検出することで発電機９０から電力が発生したか否かを検出する。即ち、カメラのフイルム巻き上げ動作が行われた否かを検出する。もし、発電機９０から電力が発生したことを検出した場合には、電源制御回路９６に電源をオンにする指示を与え、撮像装置１０の各回路に発電機９０から得た電力を供給させ、各回路を撮像可能な状態にする。また、これと同様に、発電機９０から電力が発生したことを検出することによって、フイルムの巻き上げ動作が行われたときに画像の取り込みを行うという制御を行うこともできる。
【００３４】
尚、上記発電機９０は撮像装置本体１２の軸１６に設けるようにしたが、これり限らずカメラにはフイルム給送に関連して回動する部材が複数あるため、これらの回動する部材のいずれかと連動して回動する部材を撮像装置１０に設置し、この撮像装置１０に設けた部材に発電機を設置するようにしてもよい。
【００３５】
【発明の効果】
以上説明したように本発明によれば、写真カメラで発生する動作音又は振動を検出することで写真カメラの動作状態を把握することができるようになり、これに基づいて撮像装置の動作を適切に制御することができるようになる。また、このように写真カメラで発生する動作音又は振動によって撮像装置の動作を制御することで写真カメラとの専用インターフェースが不要であるため、従来の銀塩フイルム専用の写真カメラを用いてデジタル画像を撮像することができるようになる。
【００３６】
また、カメラで発生する動作音や振動に限らず写真フイルムに所定の情報を焼き込むために行われる発光を検出することで、カメラのシャッターが切られたことを適切に把握することができ、画像の取り込みを好適なタイミングで行うこともできる。
また、カメラのフイルム給送動作に関連した発電を行う発電手段を撮像装置に設置することによって撮像装置内に搭載される電池の電力消費を節約することができるようになる。また、これにより、撮像装置内の電池の交換間隔又は充電間隔を長くすることができ、電池の交換回数が少なくなると撮像装置をカメラから取り外す回数も少なくなるため、撮像素子にゴミが付着したり、撮像素子の保護ガラス等の表面に傷が付くという不具合が削減される。
【図面の簡単な説明】
【図１】図１は、本発明に係る撮像装置の外観を示した前面図である。
【図２】図２は、本発明に係る撮像装置の外観を示した背面図である。
【図３】図３は、３５ｍｍフイルムのフイルムカートリッジを使用する写真カメラに本撮像装置を装着した様子を示した図である。
【図４】図４は、撮像装置の回路構成を示したブロック図である。
【図５】図５は、設定スイッチの設置位置の他の実施の形態を示した図である。
【図６】図６は、撮像装置をパーソナルコンピュータに接続した様子を示した図である。
【図７】図７は、振動センサを設けた場合の撮像装置を示した図である。
【図８】図８は、日付焼き込みの発光を検出する撮像装置の構成を示した図である。
【図９】図９は、日付焼き込みの発光を検出する撮像装置の構成を示した図である。
【図１０】図１０は、撮像装置の電源回路を示した図である。
【符号の説明】
１０…撮像装置
１２…撮像装置本体
１４…撮像部
１６…軸
２０…撮像デバイス
２２…マイク
２４…設定スイッチ
２６…表示装置
６０…内蔵メモリ
６２…ＣＰＵ
８０…振動センサ
【図１】
0004117515.tif 000002
【図２】
0004117515.tif 000003
【図３】
0004117515.tif 000004
【図４】
0004117515.tif 000005
【図５】
0004117515.tif 000006
【図６】
0004117515.tif 000007
【図７】
0004117515.tif 000008
【図８】
0004117515.tif 000009
【図９】
0004117515.tif 000010
【図１０】
0004117515.tif 000011